(57)【要約】【課題】  ベッド上の使用者の介護や医療行為をするに際して、ベッドの周囲に設置されているＭＥ機器と干渉を起こす場合があったり、また患者に繋がれたライン、例えば点滴等のチューブに関しては、逆流しない高さに留意しなければならなかったり、チューブの外れを防止するためにできるだけチューブを動かしたくないということから、側柵本体を格納位置に下降させるのが煩わしかったり、困難となる場合もある。【解決手段】  そこで本発明では、格納式側柵において、側柵本体１は、リンク機構取付側の下側部材２と、この下側部材の上側に位置調節可能に支持する上側部材３とから構成したベッド等の仰臥台における格納式側柵を提案している。【選択図】    図２
2006136521.tif 000002
【特許請求の範囲】
【請求項１】
ベッド等の仰臥台の側部に、柵本体を上部の使用位置から下部の格納位置までリンク機構により昇降可能に支持した構成の格納式側柵において、側柵本体は、リンク機構取付側の下側部材と、この下側部材の上側に位置調節可能に支持する上側部材とから構成したことを特徴とするベッド等の仰臥台における格納式側柵
【請求項２】
リンク機構は、側柵本体をベッド等の仰臥台の長さ方向に移動させて昇降させる構成としたことを特徴とする請求項１に記載のベッド等の仰臥台における格納式側柵
【請求項３】
リンク機構は、側柵本体をベッド等の仰臥台の幅方向に移動させて昇降させる構成としたことを特徴とする請求項１に記載のベッド等の仰臥台における格納式側柵
【請求項４】
上側部材の下側に支持棒体を突設すると共に、下側部材には、高さの異なる複数位置に、上記支持棒体を嵌合して支持する嵌合部を設けたことを特徴とする請求項１〜３までのいずれか１項に記載のベッド等の仰臥台における格納式側柵
【請求項５】
上側部材は伸縮可能な支柱により下側部材の上側に位置調整可能に支持する構成としたことを特徴とする請求項１〜３までのいずれか１項に記載のベッド等の仰臥台における格納式側柵
【請求項６】
上側部材は平行リンク式昇降機構により下側部材に位置調整可能に支持する構成としたことを特徴とする請求項１〜３までのいずれか１項に記載のベッド等の仰臥台における格納式側柵
【発明の詳細な説明】
【技術分野】
【０００１】
本発明は、ベッドやストレッチャー等の仰臥台において、床部の側部上方に支持して、患者等の使用者や布団等の寝具類の落下を防止するための側柵に関するものである。
【背景技術】
【０００２】
ベッド等の側部に支持する側柵は、側柵本体と、それを仰臥台に支持する支持機構とから構成されており、その目的は、患者等の使用者や布団等の寝具類の落下を防止することであるから、側柵本体の形状は、幅方向にできるだけ広く、そして高さ方向の幅もできるだけ広くして、その上端の高さを高くすることが望ましい。例えば、ＩＣＵ等において体位変換ができない患者には、エアーマットレス等の体圧分散型のマットレスが使用されるが、このようなマットレスは一般に厚さが厚いため、マットレスの上面に対しての側柵本体の上端の高さが相対的に低くなってしまい、このため側柵本体の上端の高さを高くする要求が必然的に生じる。
【０００３】
一方、側柵本体が常時使用状態であると、ベッド等上の患者等に対して介護や医療行為をする際には邪魔となるため、このような際には格納できることも必要である。
【０００４】
従来、このような側柵としては、ベッド等の仰臥台の側部に、側柵本体を上部の使用位置から下部の格納位置までリンク機構により昇降可能に支持した構成の各種の格納式側柵が広く知られている。このような格納式側柵では、側柵本体を案内支柱に沿って昇降させて使用位置と格納位置間で移動可能とする構成と比較して、支柱が不要となるため構成が簡素化されるという利点がある。
【０００５】
例えば特許文献１では、図１１に示すように、側柵本体ａを、回転軸ｂがベッド等の仰臥台ｃの幅方向に配置された平行四辺形リンク機構ｄにより仰臥台の側部に支持し、側柵本体をリンク機構により仰臥台の長さ方向に移動させて、上部の使用位置から下部の格納位置まで昇降させる構成としている。
【０００６】
一方、特許文献２では、図１２に示すように側柵本体ｅを、回転軸ｆが仰臥台ｇの長さ方向に配置された平行四辺形リンク機構ｈにより仰臥台の側部に支持し、側柵本体をリンク機構により仰臥台の幅方向に移動させて、上部の使用位置から下部の格納位置まで昇降させる構成としている。
【０００７】
また特許文献３は、特許文献１と同様に、側柵本体を、回転軸が仰臥台の幅方向に配置された平行四辺形リンク機構により仰臥台の側部に支持して、仰臥台の長さ方向に移動させて昇降させる構成としているのであるが、この特許文献３では、側柵本体は、上下に配置した複数の側部から構成して、これらを平行四辺形リンク機構により連結し、この平行四辺形リンク機構と、下側の側部を昇降させるための平行四辺形リンク機構とが回転する際の位相を適切に設定することにより、側柵本体の上下幅を、格納位置では小さく、使用位置では広く、従って側柵本体の高さが高くなるようにしている。
【特許文献１】特許第３５４９０９３号公報
【特許文献２】特許第２９７０８０５号公報
【特許文献３】特許第３３８４５５５号公報
【発明の開示】
【発明が解決しようとする課題】
【０００８】
上述したとおり、患者等の落下を防止するという観点からは、側柵本体の形状は、幅方向にできるだけ広く、そして高さ方向の幅もできるだけ広くすることが望ましいのであるが、近来、ベッドは、患者等の使用者が床部に対して乗り降りするのを容易にしたり、介護者の介護もやり易くするというような観点から床部の高さを低くする傾向にあり、従って側柵本体の高さ方向の幅は、格納位置で不都合が生じない幅に制限されてしまう。
【０００９】
一方、実際の医療現場においてベッド等上の使用者の介護や医療行為をするに際して側柵本体を格納位置に下降させようとする場合には、ベッドの周囲に設置されているＭＥ機器と干渉を起こす場合があったり、また患者に繋がれたライン、例えば点滴等のチューブに関しては、逆流しない高さに留意しなければならなかったり、チューブの外れを防止するためにできるだけチューブを動かしたくないということから、側柵本体を格納位置に下降させるのが煩わしかったり、困難となる場合もある。
【００１０】
従って、例えば上記特許文献３のように、側柵本体の上下幅を、格納位置では小さく、使用位置では広く、従って側柵本体の高さが高くなるようにしているものでは、ベッド等上の使用者の介護や医療行為がやりにくくなってしまう。
本発明は、以上のいろいろな課題を解決することを目的とするものである。
【課題を解決するための手段】
【００１１】
上述した課題を解決するために、本発明では、ベッド等の仰臥台の側部に、柵本体を上部の使用位置から下部の格納位置までリンク機構により昇降可能に支持した構成の格納式側柵において、側柵本体は、リンク機構取付側の下側部材と、この下側部材の上側に位置調節可能に支持する上側部材とから構成することを提案する。
【００１２】
また本発明では、上記の構成において、リンク機構は、側柵本体をベッド等の仰臥台の長さ方向に移動させて昇降させる構成とすることを提案する。
【００１３】
また本発明では、上記の構成において、リンク機構は、側柵本体をベッド等の仰臥台の幅方向に移動させて昇降させる構成とすることを提案する。
【００１４】
また本発明では、以上の構成において、上側部材の下側に支持棒体を突設すると共に、下側部材には、高さの異なる複数位置に、上記支持棒体を嵌合して支持する嵌合部を設けた構成とすることを提案する。
【００１５】
また本発明では、以上の構成において、上側部材は伸縮可能な支柱により下側部材の上側に位置調整可能に支持する構成とすることを提案する。
【００１６】
また本発明では、以上の構成において、上側部材は平行リンク式昇降機構により下側部材に位置調整可能に支持する構成とすることを提案する。
【発明の効果】
【００１７】
本発明では、下側部材に対しての上側部材の支持位置を調整することにより、容易に側柵本体の高さ方向の幅を調節することができる。このため、高さ方向の幅を狭くした状態では、例えば低い床部の仰臥台であっても、下部の格納位置において床に当接や近接するというような不都合がなく格納できると共に、上部の使用位置においては、その状態で患者等の介護や医療行為を行うことができる。
【００１８】
また上部の使用位置において、高さ方向の幅を広くして支持することにより、側柵本体の上端、すなわち上側部材の上端の高さを十分な高さに支持することができ、例えば、エアーマットレス等の厚さが厚い体圧分散型のマットレスを使用している場合にも患者等の落下を確実に防止することができる。
【実施例１】
【００１９】
次に本発明の実施例を添付図面を参照して説明する。
図１〜図３は本発明の第１の実施例に対応するもので、図１は第１の使用状態を実線で、格納状態を２点鎖線で示した全体の正面図、図２は第２の使用状態を実線で、格納状態を２点鎖線で示した全体の正面図、図３は側柵本体の斜視図である。
【００２０】
図において符号１は側柵本体を示すものであり、側柵本体１は下側部材２と上側部材３とから構成している。下側部材２は、高さ方向の約上半分を幅方向に等分に切り欠いた形状の段部４を有する板状に形成しており、切り欠いてない上面側と、段部４の上面側とに夫々左右一対の嵌合部５ａ，５ｂを形成している。
【００２１】
一方、上側部材３は、上記切り欠いた部分に相当する形状を有する板状に形成しており、その下側には左右一通の支持棒体７を突設している。
【００２２】
次に符号８はベッド等の仰臥台を示し、符号９は床部、１０は床部９上に載置しているマットレス、１１は床部９を支持する床フレームであり、この床フレーム１１には、左右一対の等長の支持アーム１２を、仰臥台７の幅方向の回転軸１３の回りに回転可能に支持している。そして支持アーム１２の先端側には上記下側部材２を回転可能に接続して支持し、これら一対の支持アーム１２、下側部材２及び床フレーム１１は平行四辺形リンク機構を構成している。
【００２３】
以上の構成において、図１及び図３（ｂ）に示すように、上側部材３の支持棒体７を下側部材２の段部４上の嵌合部５ｂに嵌合すると、上側部材３が下側部材２の段部４上の切り欠き部を埋めるように支持され、従って側柵本体１の高さ方向の幅は、下側部材２の高さ方向の幅に等しく、狭い状態となる。
【００２４】
一方、図２及び図３（ｃ）に示すように、上側部材３の支持棒体７を下側部材２の切り欠いていない上面部に形成した嵌合部５ａに嵌合すると、下側部材２の上側に上側部材３が積み重なった状態に支持され、従って側柵本体１の高さ方向の幅は、下側部材２と上側部材３の高さ方向の幅の和となり、広い状態となる。
【００２５】
従って側柵本体１が狭い状態において、図１の実線に示すように上部の支持位置で適宜のストッパー機構により支持することにより、側柵の本来の機能である患者等や布団等の落下を防止する機能を果たせる他、側柵本体１の上端の高さ、すなわち下側部材２と上側部材３の上端の高さが、後述の状態と比較して比較的低いため、上述したように患者に繋がれたライン等のために側柵本体１を格納位置に下降させるのが困難な場合であっても、そのままベッド等上の患者等に対しての介護や医療行為をやりやすく行うことができる。
【００２６】
一方、側柵本体１を上部の使用位置で支持している状態において、上側部材３の支持棒体７を嵌合部５ｂから抜き、嵌合部５ａに嵌合して高さ方向の幅が広い状態に支持すると、仰臥台８のマットレス１０の上面に対する、側柵本体１の上端、この場合、上側部材３の上端の高さを高くすることができるので、例えば、エアーマットレス等の厚さが厚い体圧分散型のマットレスを使用している場合にも、患者等が乗り越えようとしない限り、落下を確実に防止することができる。
【００２７】
次に、上述したように使用状態の側柵本体１を格納するには、側柵本体１の高さ方向の幅を狭い状態とし、ストッパー機構を解除して支持アーム１２の回転により側柵本体１を下降して、図中２点鎖線で示す格納位置に至らせることができる。側柵本体１は高さ方向の幅が狭い状態であるので、低い床部の仰臥台であっても、下部の格納位置において床に当接や近接するというような不都合がなく格納できる。
【実施例２】
【００２８】
次に図４（ａ），（ｂ），（ｃ）は本発明の第２の実施例に関するもので、この実施例は、第１の実施例と同様に、上側部材３の下側に支持棒体７を突設すると共に、下側部材２には、高さの異なる複数位置に、上記支持棒体７を嵌合して支持する嵌合部を設けた構成の変形例を示すものである。
すなわち、この第２の実施例では、下側部材２の上部には上面から続く傾斜面６を形成していて、この傾斜面６に複数の嵌合部、この場合、２つの嵌合部５ｂ，５ｃを形成しており、従って、上面の嵌合部５ａと合わせて、３対の嵌合部５ａ，５ｂ，５ｃを設けたものである。この構成では、下側部材２に対しての上側部材３の高さを、第１の実施例よりもきめ細かく調整することができる。
【実施例３】
【００２９】
次に図５〜図８は本発明の第３の実施例に対応するもので、図５は第１の使用状態の側面図、図６は格納状態と中間の状態を示した側面図、図７は第２の使用状態の説明図、図８は第１と第２の使用状態を左右側に示した説明的正面図である。
【００３０】
図において、符号２１は側柵本体を示すもので、この側柵本体１は下側部材２２と上側部材２３とから構成しており、上側部材２３は、下側部材２２に上側に突設した伸縮支柱２４により昇降可能に支持されている。この伸縮支柱２４は、下側部材２２側に固定された外支柱２５内に、上部が上側部材２３に固定された内支柱２６を嵌合して伸縮可能に構成している。図示は省略しているが、外支柱２５と内支柱２６との間には、伸縮を円滑に行えるようにするためのローラー機構等の適宜の機構を構成することができる。
【００３１】
一方、下側部材２２側には、外支柱２５に対しての内支柱２６の移動を不能とするためのストッパー機構２７を設けており、このストッパー機構２７は左右方向に移動可能なストッパー棒体２８の先端側を外支柱２５，内支柱２６に設けたストッパー孔（図示省略）に嵌入する構成としている。すなわち、この実施例ではストッパー棒体２８は、適所に設けたばねの付勢力により上記ストッパー孔に嵌入させ、操作部材２９によりストッパー孔から後退させて、ストッパーを解除する構成としている。
【００３２】
図５〜図７において、符号３０は仰臥台の床部、３１は床部３０上に載置されているマットレスであり、また３２は床フレームである。この床フレーム３２の側部には、屈曲した上側支持アーム３３と下側支持アーム３４を上下方向に仰臥台の長さ方向の回転軸３５の回りに回転可能に支持している。そしてこれらの支持アーム３３，３４の先端側には上記下側部材２２を回転可能に接続して支持し、これら上側支持アーム３３と下側支持アーム３４、下側部材２２及び床フレーム３２は平行四辺形リンク機構を構成している。尚、上側支持アーム３３と下側支持アーム３４を回転可能に支持する仰臥台３０側の部材は、上記床フレーム３２に代えて、床部３０とすることもできる。
【００３３】
以上の構成において、図５及び図８の左側に示すように上側部材２３を下げた状態の側柵本体２１を上側支持アーム３３及び下側支持アーム３４によって、仰臥台の側部に上昇させて適宜のストッパー機構により支持している使用状態においては、側柵の本来の機能である患者等や布団等の落下を防止する機能を果たせる他、側柵本体２１の上端の高さ、上側部材２３の上端の高さが、比較的低いため、上述したように患者に繋がれたライン等のために側柵本体１を格納位置に下降させるのが困難な場合であっても、そのままベッド等上の患者等に対しての介護や医療行為をやりやすく行うことができる。
【００３４】
一方、側柵本体２１を上部の使用位置で支持している状態において、上側部材２３を上昇して、図８の右側及び図７で示すように、上昇位置でストッパー機構２７により支持している状態においては、側柵本体２１の上端、この場合、上側部材２３の上端の高さを高くすることができるので、例えば、エアーマットレス等の厚さが厚い体圧分散型のマットレスを使用している場合にも患者等の落下を確実に防止することができる。
【００３５】
次に、以上のように使用状態の側柵本体２１を格納するには、側柵本体１の高さ方向の幅を狭い状態とした後、ストッパー機構を解除して上側支持アーム３３及び下側支持アーム３４の回転により側柵本体２１を下降すると、側柵本体２１の上端、この場合、上側部材２３の上端が床部３０等に衝突せずに、図５の実線で示すように床部３０の下方の格納位置にもたらすことができる。
【実施例４】
【００３６】
上述した第３の実施例では、伸縮支柱の伸縮方向は垂直方向であるが、第４の実施例として、伸縮支柱の伸縮方向を、垂直方向から適宜傾斜させた方向に伸縮させるように構成することができる。
【実施例５】
【００３７】
図９、図１０は、本発明の第５の実施例を示すもので、この実施例は、第３の実施例とは、下側部材２２に対しての上側部材２３の位置調整のための昇降機構が異なるもので、下側部材２４の昇降機構は図５，図６に示すものと同様であるため対応する部材に同様な符号を付して重複する説明は省略する。
すなわち、この第５の実施例は、上側部材２３は平行リンク式昇降機構を構成する並設したリンク３６により下側部材２２に対して昇降させて位置調整可能に支持するものである。このような機構では、適所にリンク３６の回転を不能とするためのストッパー機構を設けることにより、上側部材２３を下側部材２２に対しての適宜位置関係において固定することができる。
【産業上の利用可能性】
【００３８】
本発明は以上の通りであるので、側柵本体を案内支柱に沿って昇降させて使用位置と格納位置間で移動可能とする構成と比較して、支柱が不要となるため構成が簡素化されるという利点があるリンク機構式の格納式側柵において、次のような産業上の利用における利点がある。
【００３９】
１．本発明では、下側部材に対しての上側部材の支持位置を調整することにより、容易に側柵本体の高さ方向の幅を調節することができる。このため、幅を狭くした状態では、例えば低い床部の仰臥台であっても、下部の格納位置において床に当接や近接するというような不都合がなく格納できると共に、上部の使用位置においては、その状態で患者等の介護や医療行為を行うことができる。
【００４０】
また上部の使用位置において、高さ方向の幅を広くして支持することにより、側柵本体の上端、すなわち上側部材の上端の高さを十分な高さに支持することができ、例えば、エアーマットレス等の厚さが厚い体圧分散型のマットレスを使用している場合にも患者等の落下を確実に防止することができる。
【図面の簡単な説明】
【００４１】
【図１】本発明の第１の実施例の第１の使用状態を実線で、格納状態を２点鎖線で示した全体の正面図である。
【図２】本発明の第１の実施例の第２の使用状態を実線で、格納状態を２点鎖線で示した全体の正面図である。
【図３】本発明の第１の実施例に対応するもので、（ａ）は構成要素、（ｂ）は第１の使用状態又は格納状態、（ｃ）は第２の使用状態を夫々示す側柵本体の斜視図である。
【図４】本発明の第２の実施例に対応するもので、（ａ）は構成要素、（ｂ）は第１の使用状態（ｃ）は第２の使用状態を夫々示す側柵本体の斜視図である。
【図５】本発明の第３の実施例の第１の使用状態を示す部分側面図である。
【図６】本発明の第３の実施例の格納状態を実線で、途中の状態を２点鎖線で示す部分側面図である。
【図７】本発明の第３の実施例の第２の使用状態を示す部分側面図である。
【図８】本発明の第３の実施例の第１と第２の使用状態を左右側に示した説明的正面図である。
【図９】本発明の第５の実施例の第１の使用状態を示す部分側面図である。
【図１０】本発明の第５の実施例の第２の使用状態を示す部分側面図である。
【図１１】格納式側柵の従来例の説明図である。
【図１２】格納式側柵の他の従来例の説明図である。
【符号の説明】
【００４２】
１                    側柵本体
２                  下側部材
３                  上側部材
４                    段部
５ａ，５ｂ，５ｃ      嵌合部
６                    傾斜面
７                    支持棒体
８                    仰臥台（ベッド）
９                    床部
１０                  マットレス
１１                  床フレーム
１２                  支持アーム
１３                  回転軸
２１                  側柵本体
２２                下側部材
２３                上側部材
２４                  伸縮支柱
２５                外支柱
２６                内支柱
２７                  ストッパー機構
２８                  ストッパー棒体
２９                  操作部材
３０                  床部
３１                  マットレス
３２                  床フレーム
３３                  上側支持アーム
３４                  下側支持アーム
３５                  回転軸
３６                  リンク
【図１】
2006136521.tif 000003
【図２】
2006136521.tif 000004
【図３】
2006136521.tif 000005
【図４】
2006136521.tif 000006
【図５】
2006136521.tif 000007
【図６】
2006136521.tif 000008
【図７】
2006136521.tif 000009
【図８】
2006136521.tif 000010
【図９】
2006136521.tif 000011
【図１０】
2006136521.tif 000012
【図１１】
2006136521.tif 000013
【図１２】
2006136521.tif 000014